(57)【要約】打設によって建物の壁を建造する方法であり、その方法では、型枠（１４）が立てられ、そしてコンクリートが、型枠の穿孔（４０）を通ってしみ出るようにされて、型枠をコンクリートに埋め込んで視界から隠す。その方法を実施するためのパネル（１４）は、打設中にコンクリートを排出するための多数の穿孔（４０）をもつ薄肉シートであり、隣接する型枠に薄肉シートを留めてパネルとそれを支持する型枠との間に打設空間を作るためのブラケット（４２、４４）またはクリップを有する。しみ出たコンクリートをこてで仕上げることによって平滑な仕上げが得られる。
2005508465.tif 000002
【特許請求の範囲】
【請求項１】
建物の壁を建造する方法であって、前記壁を打設によって形づくるための型枠を立てることと、前記型枠に硬化可能な流動性の建造用混合物を注入することによって前記混合物を前記型枠を通して流して前記型枠の少なくとも一部を前記壁に埋め込むこととを含む方法。
【請求項２】
前記型枠を通して流れる前記混合物をこて仕上げによって平滑化することを含む請求項１に記載の方法。
【請求項３】
エンボス加工用の工具を適用して前記混合物に仕上げを施すことを含む請求項１または２に記載の方法。
【請求項４】
建築上の所望の輪郭を前記型枠内に取り入れることと、対応する輪郭をもつ仕上げごてで前記混合物をこて仕上げすることとを含む請求項１ないし３のいずれかに記載の方法。
【請求項５】
前記壁の半分が建造され、それに続いて、すでに建造された前記壁の半分に隣接する型枠を立てて前記型枠と前記建造された半分との間に打設空間を作り、硬化可能な流動性の建造用混合物を前記打設空間に充填して前記型枠が硬化した混合物に埋め込まれるようにすることを特徴とする請求項１または２に記載の方法。
【請求項６】
打設によって建物の壁を建造するための型枠パネルであって、薄肉シートを備え、前記薄肉シートは、硬化可能な流動性の建造用混合物が打設に応じて前記シートの外側面上へと限定的に流れるのを可能にする大きさの多数の穿孔を有し、しみ出たコンクリートが前記シートを前記壁に埋め込み、前記シートは前記型枠の支持要素と係合する手段を有することを特徴とする型枠パネル。
【請求項７】
前記型枠の支持要素と係合する前記手段は、前記シートの内側面から伸びたブラケットであって、前記型枠の補強バーに通すことのできるブラケットであることを特徴とする請求項６に記載の型枠パネル。
【請求項８】
前記外側面の内側に打設空間を作るために前記シートの内側面から伸びた複数のリブを有する請求項６または７に記載の型枠パネル。
【請求項９】
前記シートは、不均等な深さをもつしみ出た混合物の層を作るために、波形になった部分でできていることを特徴とする請求項６ないし８のいずれかに記載の型枠パネル。
【請求項１０】
前記シートは、前記穿孔のいくつかが鉛直に並べられたジグザグな部分でできていて、前記シートを支持するために前記並べられた穿孔にロッドを通すことができることを特徴とする請求項９に記載の型枠パネル。
【請求項１１】
前記型枠と係合する前記手段は、前記穿孔の中を伸びて前記補強バーと係合するクリップであることを特徴とする請求項９に記載の型枠パネル。
【請求項１２】
スペーサ要素の繰り返しによる段の列を備え、前記スペーサ要素が一緒になって芯を規定しており、パネル型が前記列の複合体の各外側面に隣接して置かれ、それぞれの前記パネル型と対応する列との間に打設空間が、硬化可能な流動性の建造用混合物で充填されるように設けられており、各パネル型には、前記流動性の混合物が押し出されて前記パネルの外側に硬化した層を形成して前記パネルを視界から隠すように穿孔が設けられていることを特徴とする建物の壁。
【請求項１３】
前記スペーサ要素は、一方のパネルの列に隣接する前記打設空間と反対側のパネルの列に隣接する前記打設空間とをつなぐ横断路の形を共同で定め、これらの横断路は、建造中に混合物を充填されることを特徴とする請求項１２に記載の壁。
【請求項１４】
前記スペーサ要素は、実質的に平行六面体形状であり、前記壁内で各要素を隣の要素と相互接続することができる受け口をもつことを特徴とする請求項１３に記載の壁。
【請求項１５】
前記受け口は、前記段を安定で自己支持できるものとするため、重なり合うことによって係合することを特徴とする請求項１４に記載の壁。
【請求項１６】
前記スペーサ要素は、組み立てられた時に外側パネルの列と内側パネルの列とを接続する複数の通路の形を定める端を有することを特徴とする請求項１３ないし１５のいずれかに記載の壁。
【請求項１７】
前記スペーサ要素は、中身が詰まっており断熱性の芯を形成することを特徴とする請求項１２ないし１６のいずれかに記載の壁。
【請求項１８】
前記パネルは、前記複数の穿孔の中をしみ出る混合物をいろいろな深さにするため、波形またはくぼみが付けられまたは他の変形した形状を有していることを特徴とする請求項１２ないし１７のいずれかに記載の壁。
【請求項１９】
各パネルは、壁補強バーを支持するための一体化した支えを有することを特徴とする請求項７に記載の壁。
【請求項２０】
波形は、傾いた縁が結合した平らな頂上と平らな底とを有することを特徴とする請求項８に記載の壁。
【請求項２１】
穿孔が波形に分布させられていることを特徴とする請求項８に記載の壁。
【請求項２２】
波形は頂上から頂上までが３０ｍｍから４０ｍｍであることを特徴とする請求項７ないし１０のいずれかに記載の壁。
【請求項２３】
穿孔は直径が７ｍｍから１０ｍｍであることを特徴とする請求項７ないし１１のいずれかに記載の壁。
【請求項２４】
前記各パネルは、直立した補強バーを捕捉する手段を有することを特徴とする請求項７ないし１２のいずれかに記載の壁。
【請求項２５】
前記バー捕捉手段は、前記要素と穿孔の開けられたパネル壁との間の打設空間にわたる多数の鉛直なリブを備え、少なくとも２組のリブが、ロッドを通すことのできる開口の形を定める橋で接続されていることを特徴とする請求項１３に記載の壁。
【請求項２６】
前記各パネルは、その直立した縁に、隣接するパネルの縁同士の相互接続を可能にする接続部を有することを特徴とする請求項７ないし１３のいずれかに記載の壁。
【請求項２７】
前記パネル壁の厚さは１ｍｍから３ｍｍであることを特徴とする先の請求項のいずれかに記載の壁。
【請求項２８】
前記パネルは、リサイクルされたプラスチック廃材を型で成形したものであることを特徴とする先の請求項のいずれかに記載の壁。
【請求項２９】
前記壁にある開口部に、前記パネルに接続された穿孔の開けられていない型が並べられ、前記しみ出た混合物が、前記型に従って、戸または窓を設置するための上枠、縦枠、および下枠を形成するようになっていることを特徴とする請求項１２ないし２１のいずれかに記載の壁。
【請求項３０】
供給系を提供するための導管を前記スペーサ内にもつ請求項１２ないし２１のいずれかに記載の壁。
【請求項３１】
請求項１ないし２１のいずれかに記載されたような、打設された建造物内にスペーサとパネルとが埋め込まれている壁。
【請求項３２】
先の請求項のいずれかに記載されたような壁を含む建物。
【発明の詳細な説明】
【技術分野】
【０００１】
本発明は、壁を建造する方法、そのための型、およびそのような壁で建造された建物に関する。
【背景技術】
【０００２】
コンクリート建築物の型を作るための堰板や型枠の使用は、型を外してコンクリートの表面を露出させ型を再利用できるようにする、というステップを含む。型の回収は、型枠を解体し、また型による表面の仕上がりを受け入れるという必要性を、建築業者に課す。色付けおよび／または壁塗りをすることはできるが、技術はそれに関して限られている。
【発明の開示】
【課題を解決するための手段】
【０００３】
本発明の１つの装置の態様は建物の壁を提供し、この壁はスペーサ要素の繰り返しの段（courses：層）を備え、スペーサ要素が一緒になって芯の形を定めており、パネル型がスペーサの面に隣接しておかれており、スペーサの面と型の壁との間の空間が、硬化可能な流動性の建造用混合物を充填されるように設けられており、パネル壁が、穿孔を開けられており、流動性の混合物が押し出されて、パネル壁を視界から隠す硬化した層をパネル壁の外側に形成している。
【０００４】
スペーサは、上部、底部、および両端が閉じられて、すべての面が不透過性で、密閉箱のようであってもよい。スペーサは、ロッドのような、補強用の格子を支持する手段を有していてもよい。接合された段を作るために、普通のサイズおよび半分のサイズのスペーサが設けられてもよい。スペーサは、組み立てられて縦横に並んだ配列を形成すると、内側の型の列と外側の型の列とをつなぐ多数の通路の形を定める。この多数の通路は、建造中に混合物が充満して、打設（ｃａｓｔ：型成形）された２枚の壁片を永久的に結合する。
【０００５】
パネルは、例えば戸や窓といった壁の開口部の形を定める縁をもつスペースを含んでもよい。スペーサは、中空で箱が縦横に並んだ配列のようになっていてもよい。あるいは、スペーサは、中身が詰まっていてもよい。ポリスチレン発泡材や独立気泡フォームなどの発泡ポリマー製品が有用である。パネルは、型で成形してもよいし、熱で形成してもよいし、また板金をプレス成形して作ってもよい。
【０００６】
内側のパネル面は、しみ出た混合物がコーブやスカーティングなどの建物の内部の特徴を形成するように輪郭が作られてもよい。スペーサは、段に組み立てられたときに、外側のパネルの列と内側のパネルの列とをつなぐ多数の通路の形を定めるような端部を有してもよい。「パネル（panel)」という用語は、平面の壁を生ずる２次元構造に制限されない。パネルを所要の形状に製造すれば、曲線のある形が可能である。
【０００７】
壁の周囲の形を決める面であるパネル外面、すなわち外側面と、建物の内側面の形を決めるパネル内面は、穿孔が開けられており、また、こてで壁を仕上げる際の応答を改善するため、波形やくぼみを付けられるなどして構成されて、混合物をいろいろな深さにするようになっていてもよい。
【０００８】
建築規制で要求されるような通常の補強は、壁に含まれている。例えば、ワイヤ、溶接、またはクリップで互いに留められた、ロッドおよびバーである。「穿孔（perforations）」という用語は、長穴も含む。円形の穿孔が有用である。穿孔の中を流れる混合物の量は、例えば骨材の大きさや含水量などといった混合物の組成によるので、その点では穿孔の直径は重要でない。５ｍｍから１５ｍｍの直径で有用な結果が出ている。
【０００９】
平らなパネルを用いても許容できる結果が得られるので、パネルの波形は必須というわけではない。ただ、こてで仕上げる作業では、波形の底の部分があると骨材を押しやすくなり、より平滑な仕上げが得られる。
【発明を実施するための最良の形態】
【００１０】
図１、２、および３で、箱形のスペーサ２は、リサイクルプラスチックでブロー成形されている（６００×３００×６５ｍｍ）。各スペーサは、水平な長方形の上フランジ４、水平な長方形の下フランジ６、長方形の端部フランジ８（１つが示されている）、直立した内側面１０、および直立した外側面１２を有する。従って、スペーサは上部、底部、および両端が閉じられている。
【００１１】
面１２は不透過性であり、隣接するスペーサと共に複合体の鉛直な型の面を形成する。形成された面はパネル型１４の列と協働する。リブ１６が、スペーサの面１２に接している。パネルのリブ１６は、水平な補強ロッド２０を支持するための架台１８を有する。鉛直な補強ロッド２２が、端部リブ２４に隣接している。連結ワイヤ２６が、内側のパネル１４および外側のパネル２８に連結されたロッドをつないでいる。パネルは板厚１ｍｍの射出成形板である。
【００１２】
次に図４および５で、露出したパネル面３０は、平らな頂上３４、平らな底３６、および傾いた縁３８でできた波形３２を有する。パネル型が充填されると、各々が８ｍｍの直径をもつ開口４０の列からコンクリートがしみ出る。
【００１３】
各パネルの片方の端は、１組のピン４２（１つが示されている）および１組の小穴４４（１つが示されている）を有する。ピンと小穴は相互に連結してパネルの列を同一平面に保持する。架台１８、および１組のリブ１６に架かる橋４６が、より明瞭に見えている。橋は、波形の面３０と共に、鉛直なバー２０の案内路を作る。
【００１４】
スペーサは、段状におかれて、底部のフランジが下の段の上部のフランジの上に重ねられている。このように、スペーサは縦横に並んだ配列を形成し、接している端部が、壁を貫通して内側と外側のパネル型を相互接続する筒状の通路４８を形成するようになっている。スペーサは、型で成形された鉛直なサービストンネル５０を有する。サービストンネルは、上下の段のトンネルと合うようになっている。このようにして、サービス導管が上下に通じる。あるいは、打設空間内に空き場所がある。部屋の供給系の差し込み口へ接続できるようにするため、パネルを切って開口が作られる。図６には、壁の打設後の最終的な外観が示されている。図７には、壁が標準的な基礎５２の上に立てられている様子が示されている。スペーサ、型、および補強材はすべて、打設されたコンクリートに埋め込まれている。
【００１５】
図８では、パネルは、半分ずつ２つに分けて取り付けられた型拡張部５４を有し、それによって混合物が窓の上枠、縦枠、および下枠を形成できるようなっている。これらは支え５８により開口部５６に固定されている。図９の型は、窓の縁の側面の半分を受け持つ割型である。コーブやスカーティングなどの内部の特徴のための型拡張部も、同様の方法で形成される。拡張部の輪郭をなぞるために、輪郭をかたどったこてが用いられる。頂材である姫垣、柱頭、および同様の飾りなどといった拡張部の特徴を得ることができる。
【００１６】
図１０で、厚板６０は、ＨＥＢＥＬ  ＰＯＷＥＲＰＡＮＥＬという商標で販売されている２７００×１２００×７５ｍｍの気泡コンクリート板である。パネル１４は、押し出し成形された後、細いロッド６２を通せるよう鉛直に並んだいくつかの穿孔を開けられている。
【００１７】
建造の順序は以下の通りである。
基礎が根切り用のワイヤメッシュを用いて従来の方法で造られ、その結果、１２００ｍｍのバーの対が２２０×６００の間隔をあけて突き出す。
【００１８】
そして最初のスペーサ２の層（段）が、バーの間に高さ１２００ｍｍまで横たえられる。パネル１４が、リブがスペーサに触れるように、バーに通されて滑り下ろされる。パネルの縁同士が相互接続する。水平なバーがパネルの架台に横たえられ、鉛直なバー２０が延長される。バー同士はワイヤで結び合わされ、連結ワイヤ２６が通路４８の中に差し込まれる。
【００１９】
次の一続きのパネルが、１階の高さである２７００ｍｍに達するまで、延長されたバーに通される。サービス導管が挿入されて、壁が一部分となって構成している部屋の差し込み口の位置の反対側に挿入された空隙とつながる。配水および配電が仕上げられる。
【００２０】
建物が１階建てならば、この構造物で注入準備完了である。コンクリートポンプが現場に登場する。コンクリートポンプの充填管は、流れをスペーサ両側の打設空間へ方向付けるように二股に分けられる。建物は、同様の手法を活用した高層式であってもよい。
【００２１】
コンクリートが、構造物内で次第に高くなって通路へ流れ込み、それによって２枚の壁を結合する。コンクリートの重量が増すにつれて、下の方のパネルは、穿孔を通して混合物を失う。パネルからおよそ２０ｍｍのコンクリートがしみ出たところで、こてで仕上げる作業が始まる。一旦こてでパネルをなでると、コンクリートは斑点状の外観を失い、しみ出しもやむ。外側の含水量が変わり、平滑化の作業を始めることができる。壁の厚みを貫く通路４８によって壁の両側片間の内部の橋がそこにかかり、そして、ならされたコンクリートで型が完全に隠れることになる。砂の埋込など、きめを出したり最後の仕上げをしたりする工程は、この時点で行う。そしてポンプは、上部にコンクリートを追加して次の階を形成する。コンクリートが乾燥したら、アクリル樹脂塗料などで色付けする。
【００２２】
上記の実施の態様には以下のような利点のあることが分かっている。
１．型が構造物中に永久的に残る。
２．こてによる仕上げ用の材料が壁からたくさん流れ出るので、壁塗り（render：下塗り、壁をしっくい、セメント、コンクリート等の層で覆うことを意味する）材を塗る必要がない。
３．職業的な技能が低くても間に合う。
４．曲線のような、自由な形態が得られる。こてで仕上げる代わりに、またはそれに加えて、しみ出たコンクリートに模様を付けることができる。
【００２３】
本明細書の全体を通じて用いられる「備える（comprising）」という言葉は、含むという意味の表現形式として解釈されるべきもの、すなわち、「備える」という言葉の使用によって他の要素の追加を除外することはないものと理解されなければならない。
【００２４】
本発明の基本的な本質から逸脱することなく、本発明にさまざまな変更および／または追加がなされてよいと理解されなければならない。したがって、これらの変更および／または追加は、本発明の範囲に含まれるものと見なされる。
【図面の簡単な説明】
【００２５】
【図１】建造途中の代表的な壁の一部分の斜視図である。
【図２】図１のＡで印した領域をＢ方向から見た拡大図である。
【図３】図１に示した壁の一部分と１対のパネルの分解組立図である。
【図４】ペグ式位置決め部を示す、パネルの縁の断片の詳細図である。
【図５】ペグを受ける小穴を示す、隣接するパネルの対応する縁の部分の詳細図である。
【図６】打設後の壁の一部を示す、図１と同様の斜視図である。
【図７】完成した壁の断面図である。
【図８】窓を含む壁と、その窓の縁取り用の型が打設のための位置に支持された状態とを示す斜視図である。
【図９】図８の型の断面図である。
【図１０】打設用パネルを用いた部分的に従来型である構造を示す、壁の断片の斜視図である。
【図１】
2005508465.tif 000003
【図２】
2005508465.tif 000004
【図３】
2005508465.tif 000005
【図４】
2005508465.tif 000006
【図５】
2005508465.tif 000007
【図６】
2005508465.tif 000008
【図７】
2005508465.tif 000009
【図８】
2005508465.tif 000010
【図９】
2005508465.tif 000011
【図１０】
2005508465.tif 000012
【国際公開パンフレット】
2005508465.tif 000013
2005508465.tif 000014
2005508465.tif 000015
2005508465.tif 000016
2005508465.tif 000017
2005508465.tif 000018
2005508465.tif 000019
2005508465.tif 000020
2005508465.tif 000021
2005508465.tif 000022
2005508465.tif 000023
2005508465.tif 000024
2005508465.tif 000025
2005508465.tif 000026
2005508465.tif 000027
2005508465.tif 000028
2005508465.tif 000029
2005508465.tif 000030
2005508465.tif 000031
2005508465.tif 000032
【手続補正書】
【提出日】平成15年3月20日(2003.3.20)
【手続補正１】
【補正対象書類名】特許請求の範囲
【補正対象項目名】全文
【補正方法】変更
【補正の内容】
【特許請求の範囲】
【請求項１】
壁建造物等を形成したり型で成形したり壁塗りしたりするための建築装置であって、１つまたは複数の透過性パネルを備え、前記パネルが、前記壁の支持要素から距離を開けて自立し前記パネルが支持要素に合うように設けられて、前記支持要素と前記パネルとの間を充填するための最上部の空洞を提供しており、前記パネルは、充填材に一様な透過性を提供する複数の開口によって特徴づけられており、壁塗りされ固められると、前記充填材および前記パネルが、前記壁に一体化された部分を形成するようになっていることを特徴とする建築装置。
【請求項２】
前記パネルは、外被と、実質的に前記パネルの長さにわたる複数の平行な内側支持リブとを有することを特徴とする請求項１に記載の装置。
【請求項３】
前記外被に、実質的に平行な一連の波形が、前記支持リブの方向を横切るように形成されていることを特徴とする請求項２に記載の装置。
【請求項４】
前記内側支持リブは、前記充填用の空洞内での前記充填材の流れを導いたり制御したりするのを助ける打設空間または導管を形成することを特徴とする請求項３に記載の装置。
【請求項５】
前記開口は、前記パネルの前記外被の実質的な領域にわたって、実質的に一様な配列で形成されていることを特徴とする請求項１ないし４のいずれかに記載の装置。
【請求項６】
前記開口は、前記波形の頂上、谷、および傾いた縁に沿って直線的な列をなすように形成されていることを特徴とする請求項３ないし５のいずれかに記載の装置。
【請求項７】
２つ以上の隣接するリブが架橋手段でつながれていることを特徴とする請求項２ないし６のいずれかに記載の装置。
【請求項８】
前記架橋手段および架橋されたリブは、第１の端において突出したキーを形成し、第２の端において受け用のドックを形成し、隣接するパネルの前記キーとドックとが第１の方向の相互係合のために協働可能であることを特徴とする請求項７に記載の装置。
【請求項９】
前記第２の端における前記橋が、交互の２つの隣接するリブの間に形成されており、隣接するパネルが相互に係合された時に、前記リブの前記第１および第２の端にわたって連続した橋が形成されるようになっていることを特徴とする請求項８に記載の装置。
【請求項１０】
前記パネルの外被の第１の縁は、１つまたは複数のピンを有し、前記外被の第２の縁は、対応する１つまたは複数の小穴を有し、隣接するパネルの前記ピンと小穴とが第２の方向の相互係合のために協働可能であることを特徴とする請求項８に記載の装置。
【請求項１１】
前記支持要素は、密閉可能な空洞を持つスペーサブロックを備えることを特徴とする請求項１ないし９のいずれかに記載の装置。
【請求項１２】
前記スペーサブロックは、平行六面体であることを特徴とする請求項１１に記載の装置。
【請求項１３】
前記スペーサブロックは、上および下のフランジの形を定めるよう角部に形成された段部を含み、前記上および下のフランジは、接合する４つのブロックの合わせ部に空洞である横断路が形成されるように前記スペーサブロックの接合面の形を定めることを特徴とする請求項１１または１２に記載の装置。
【請求項１４】
前記スペーサブロックは、サービストンネルの働きをする一体化した横断導管を含むことを特徴とする請求項１１ないし１３のいずれかに記載の装置。
【請求項１５】
前記支持要素は、前記架橋されたリブの内側に合うように設けられた複数の補強ロッドで縛られており、前記支持要素の両側面の対応する補強ロッドが互いに引かれた時に前記パネルが引かれて前記支持要素に接し、前記パネルが自立して前記支持要素と合い、前記パネルの前記外被が前記支持要素から距離を開けて離れ、その内側に充填可能な空洞が設けられることを特徴とする請求項１ないし１４のいずれかに記載の装置。
【請求項１６】
前記パネルは、金属で作られていることを特徴とする請求項１ないし１５のいずれかに記載の装置。
【請求項１７】
前記パネルは、型成形可能な可塑性材料で作られていることを特徴とする請求項１ないし１５のいずれかに記載の装置。
【請求項１８】
請求項１ないし１７のいずれかに記載の装置を用いて壁などを建造する方法であって、前記方法は、
ａ）１つまたは複数の前記透過性パネルを、前記パネルを支持することのできる面に固定するステップと、
ｂ）前記パネルと前記支持面との間に形成された空洞を充填材で埋め、前記充填材に前記パネルの開口を透過させるステップと、
ｃ）透過した前記充填材を、前記充填材が加工可能な状態にある間に仕上げツールで平らにしまたは壁塗りするステップと、
ｄ）壁塗りされた前記充填材を固めるステップと、
を備えることを特徴とする方法。
【請求項１９】
支持壁が、前記支持面を形成するよう設けられた内側および／または外側の面を有する複数の組み立てられたスペーサブロックを含むことを特徴とする請求項１８に記載の方法。
【請求項２０】
前記組み立てられたスペーサブロックは水平な補強バーと合わされ、該補強バーは前記パネルと係合し、該パネルを前記支持壁に保持するように設けられることを特徴とする請求項１８または１９に記載の方法。
【請求項２１】
架橋されたリブの間に鉛直な補強バーが設けられ、前記補強バーは、前記パネルが引かれて前記支持壁に接する際に、隣接するリブに架かる橋を支えることを特徴とする請求項２０に記載の方法。
【請求項２２】
前記支持壁の両側に合った対応する補強ロッドの間に連結ワイヤが設けられることを特徴とする請求項２１に記載の方法。
【請求項２３】
前記充填材は、前記充填材が前記パネルの外被の前記開口を透過できる状態にするのに適した速度で、前記空洞内に置かれることを特徴とする請求項２２に記載の方法。
【請求項２４】
前記充填材は、壁塗りされ固まり始めるための前記第１の配置を可能にする速度で置かれ、後に続く配置が先の配置の上に盛り上がって、前記パネル外被を透過する加工可能な壁塗りの波を形成するようになっていることを特徴とする請求項２３に記載の方法。
【請求項２５】
請求項１８ないし２４のいずれかに記載の方法に従って建造された壁または同種のもの。
【請求項２６】
支持要素のプレ壁を形成して少なくとも１つの支持面を提供するよう組み立てられた複数のスペーサブロックと、前記支持面に固定された複数の透過性パネルと、前記パネルを包み、かつ前記支持面に接する充填材と、を備えることを特徴とする請求項２５に記載の建造された壁または同種のもの。
【請求項２７】
前記充填材は、接合するブロックの合わせ部に形成される空の横断路にて前記スペーサブロックを透過していることを特徴とする請求項２６に記載の壁または同種のもの。
【請求項２８】
前記スペーサブロックの両側面に透過性パネルおよび充填材が合っていることを特徴とする請求項２５ないし２７のいずれかに記載の壁または同種のもの。
【請求項２９】
前記壁は、鉛直な構造物であることを特徴とする請求項２５ないし２８のいずれかに記載の壁または同種のもの。
【請求項３０】
前記壁は、鉛直でない構造物であることを特徴とする請求項２５ないし２８のいずれかに記載の壁または同種のもの。
【請求項３１】
前記構造物は、水平であることを特徴とする請求項３０に記載の壁または同種のもの。
【請求項３２】
例および図面を参照して実質的に上に説明された通りの請求項１ないし１７のいずれかに記載の装置。
【請求項３３】
例および図面を参照して実質的に上に説明された通りの請求項１８ないし２４のいずれかに記載の方法。
【請求項３４】
例および図面を参照して実質的に上に説明された通りの請求項２５ないし３１のいずれかに記載の壁または同種の建造物。
【手続補正２】
【補正対象書類名】明細書
【補正対象項目名】全文
【補正方法】変更
【補正の内容】
【発明の詳細な説明】
【技術分野】
【０００１】
本発明は、建設業に関し、特に壁建造物等を形成したり型で成形したり壁塗り（render：下塗り、壁をしっくい、セメント、コンクリート等の層で覆うことを意味する）したりするための建築装置に関する。本発明はまた、その装置を用いて壁、基礎、床等の建造物を建造する方法に関し、また本発明の装置と方法とを用いた最終建造物に関する。
【背景技術】
【０００２】
セメントやコンクリートの壁塗りを伴う、壁などの建築要素の製造および建造では、一般に、大規模な型枠を準備し使用して、コンクリートの壁塗りを形成できるような型を設ける必要がある。それによって、建造過程において、壁塗りを準備し配置するための基礎を設けるのである。そのような型枠や型の使用には多大な労力がかかりかつ大規模な準備作業が要求され、また一旦コンクリートの壁塗りが所定の位置に置かれて固まったら、型および型枠を外して、完成した建造物を露出させなければならない。このような状況では概して損傷が発生するため、型枠や型を外したり場合によっては再使用したりすることは、多大な労力がかかり、問題を起こすことがある。従って、現在用いられている技術は、はなはだ非効率で、無駄が多く、準備された型枠の特性に大いに依存する最終壁塗り製品の品質および仕上がりに一定の限界を強いる。また、一旦型枠を外した後は建造物に再度壁塗りすることができず、壁塗りされた産物中の欠陥に対処する機会がほとんど、あるいはまったくない。
【０００３】
型が、壁塗りされて仕上げられた建造物に一体化された一部分を形成するような、型枠および成形装置が提供されることは、大いに望まれるところであろう。そして、本発明の目的の一つは、セメントの壁塗りを伴って壁などを建造するための、改良された建築装置および方法を提供することである。
【発明の開示】
【課題を解決するための手段】
【０００４】
第１の態様では、本発明は、壁建造物等を形成したり型で成形したり壁塗りしたりするための建築装置し、この建築装置は、１つまたは複数の透過性パネルを備え、前記パネルが前記壁の支持要素から距離を開けて自立し前記パネルが支持要素に合うように設けられて、前記支持要素と前記パネルとの間に充填可能な空洞を提供しており、前記パネルは、充填材に実質的に一様な透過性を提供する複数の開口によって特徴づけられており、壁塗りされ固められると、前記充填材および前記パネルが、前記壁に一体化された部分を形成するようになっている。
【０００５】
パネルは、複数の平行な内側支持リブをもった外被という形態で設けられ、該リブがパネルの実質的な長さにわたって形成され、個々のリブがパネルの実質的な幅にわたって設けられていてもよい。
【０００６】
外被には、実質的に平行な一連の波形が、支持リブの方向を横切るように形成されてもよく、連続する内側支持リブの間の空間が、充填可能な空洞に充填材が導かれた際に充填材の流れを導いたり制御したりするのを助ける打設（ｃａｓｔ：型成形）空間または導管を形成するようになっていてもよい。
【０００７】
パネル外被に形成される開口は、パネル外被の全領域にわたって、実質的に一様な配列で形成されてもよい。開口は、それぞれの波形の頂上、谷、および傾いた側面に沿って直線的な列をなして形成されてもよい。
【０００８】
パネルに形成される隣接するリブが架橋手段でつながれてもよく、架橋された隣接するリブが第１の端において形成されて突出したキーを備えるよう構成され、交互の隣接するリブもまた第２の端において架橋されて受け用ドックを形成するようになっていてもよい。こうして、隣接するパネルの、対応するように並んだキーとドックとが、隣接するパネルの第１の方向、最も好ましくは鉛直方向、の相互結合のために協働してもよい。
【０００９】
パネル外被には、第１の縁において１つまたは複数のピンが設けられ、第２の縁に対応する複数の小穴が設けられ、隣接するパネルの対応するように並んだピンと小穴とが、隣接するパネルの第２の方向−水平方向でもよい−の相互係合のために協働してもよい。
【００１０】
壁の支持要素は、壁に不透過性の空洞を設けるためにそれぞれが密閉可能となっている複数のスペーサブロックを備えていてもよい。スペーサブロックは、積み重ねや相互接続によって堅固な支持用の相互接続プレ壁（pre-wall：事前壁）を建築するのに適合するよう、平行六面体形状に形成されていてもよい。プレ壁の支持要素（およびその支持面）は、透過性パネルの支持構造を提供する。スペーサブロックは、上および下のフランジの形を定めるよう、４つの角部に形成された段部を含んでもよく、そして上および下のフランジが、隣接するスペーサブロックの接合面の形を定めてもよい。段部の付いた角部は、接合する４つのブロックの合わせ部に形成された空洞（中空）である横断路を提供する。横断路は、支持壁または支持用のプレ壁の両側面を相互接続させて、壁の両側面が壁塗りされる時に充填材を結合させる。
【００１１】
スペーサブロックはまた、一体化した横断導管を含んでもよい。横断導管は、どの向きに横断してもよく、また隣のブロックと相互接続するよう配置されて、配管や電気などの供給系へのアクセスを可能にするための連続したサービス導管またはサービストンネルを、壁全体にわたって提供してもよい。
【００１２】
パネルは、組み立てられた支持要素の外側または内側に縛りつけられた複数の補強ロッドを介して、組み立てられた支持要素に保持または固定される。補強ロッドは、まず水平なロッドが地上に置かれてから、鉛直方向および水平方向に組み立てられてもよい。一旦最初の一続きのパネルが下の補強ロッドの上におかれたら、隣接するよう配置されたパネルの間または中に、さらに水平なロッドを通すことができる。複数のパネルが組み立てられたら、鉛直な補強ロッドを、架橋部分の中を通すことによって、架橋された隣接するリブの対のうちで選択されたものの間に配置することができる。こうして、縛られた補強ロッドの網は、スペーサブロックの両側面の補強ロッドを接続している連結ワイヤを介して、パネルをスペーサブロックの方へ引く手段として用いることができる。パネルは、プレス加工された板金、型成形可能または成形可能なプラスチック、またはこの両者の組み合わせで形成されてもよい。
【００１３】
本発明の別の態様は、これまで説明した装置を用いて壁などを建造する方法を提供する。この方法は、
ａ）１つまたは複数の前記透過性パネルを、前記パネルを支持することのできる面に固定するステップと、
ｂ）前記パネルと前記支持面との間に形成された空洞を充填材で埋め、前記充填材に前記パネルの開口を透過させるステップと、
ｃ）透過した前記充填材を、前記充填材が加工可能な状態にある間に仕上げツールで平らにしまたは壁塗りするステップと、
ｄ）壁塗りされた前記充填材を固めるステップと、
を備える。
【００１４】
一旦本発明の装置が組み立てられたら、パネル遠端部において充填材の一部がパネル外被の開口を透過できるようにするのに適した速度で、ポンプであるいは受動的に充填材が空洞内に注入されてもよい。パネルが鉛直な壁に組み付けられる場合は、充填材の移動は重力によることができ、また充填速度は充填材の粘度に応じて選ぶことができる。そのようにして、パネル下端において充填材がパネル外被の開口を透過する速度を選べるようにして、充填材がパネルの外面へ広がる際の充填材の壁塗りを制御できる。充填材の移動は、仕上げられた壁塗りが「止まって」、固まり始め、後に続く充填材がその上に盛り上がるのを可能にするような速度で移動するよう制御することができ、パネル外被を透過しながら壁を上っていく加工可能な壁塗りの制御された波が提供される。
【００１５】
本発明の別の態様は、上に説明した方法に従って製造される壁などの建造物を提供する。壁は鉛直な建造物の形態をとってもよい。代わりに床のような水平な建造物の形態をとることもできるが、その場合、本発明のパネルは水平に横たえられ、そうして形成された空洞内に充填材がポンプで注入される。
【００１６】
鉛直な壁の形態の場合、本発明では、支持要素のプレ壁を形成するよう組み立てられて少なくとも１つの支持面を提供する複数のスペーサブロックが設けられる。支持面には複数の透過性パネルが合わされ、パネルは支持面に固定され、充填材が空洞内へ射出または注入され、そしてパネルを包み、パネルの外側に壁塗りされた表面を提供するようになっており、その際、充填材は、パネルに広がってパネルと合体し、最終的に支持面に接する。
【００１７】
充填材はまた、接合する４つのブロックの合わせ目に形成される空洞である横断路を通ってスペーサブロックを透過し、両面を壁塗りされた壁の両側面を結合させる。
【００１８】
本発明の応用の多くは、平らな平面状の表面に関するものであるが、本発明の装置および方法は、曲がった、曲線のある形や面に及んでもよい。
【００１９】
本発明の別の装置の態様は建物の壁を提供し、この壁はスペーサ要素の繰り返しの段（courses：層）を備え、スペーサ要素が一緒になって芯の形を定めており、パネル型がスペーサの面に隣接しておかれており、スペーサの面と型の壁との間の空間が、硬化可能な流動性の建造用混合物を充填されるように設けられており、パネル壁が、穿孔を開けられており、流動性の混合物が押し出されて、パネル壁を視界から隠す硬化した層をパネル壁の外側に形成している。
【００２０】
スペーサは、上部、底部、および両端が閉じられて、すべての面が不透過性で、密閉箱のようであってもよい。スペーサは、ロッドのような、補強用の格子を支持する手段を有していてもよい。接合された段を作るために、普通のサイズおよび半分のサイズのスペーサが設けられてもよい。スペーサは、組み立てられて縦横に並んだ配列を形成すると、内側の型の列と外側の型の列とをつなぐ多数の通路の形を定める。この多数の通路は、建造中に混合物が充満して、打設（ｃａｓｔ：型成形）された２枚の壁片を永久的に結合する。
【００２１】
パネルは、例えば戸や窓といった壁の開口部の形を定める縁をもつスペースを含んでもよい。スペーサは、中空で箱が縦横に並んだ配列のようになっていてもよい。あるいは、スペーサは、中身が詰まっていてもよい。ポリスチレン発泡材や独立気泡フォームなどの発泡ポリマー製品が有用である。パネルは、型で成形してもよいし、熱で形成してもよいし、また板金をプレス成形して作ってもよい。
【００２２】
内側のパネル面は、しみ出た混合物がコーブやスカーティングなどの建物の内部の特徴を形成するように輪郭が作られてもよい。スペーサは、段に組み立てられたときに、外側のパネルの列と内側のパネルの列とをつなぐ多数の通路の形を定めるような端部を有してもよい。「パネル（panel)」という用語は、平面の壁を生ずる２次元構造に制限されない。パネルを所要の形状に製造すれば、曲線のある形が可能である。
【００２３】
壁の周囲の形を決める面であるパネル外面、すなわち外側面と、建物の内側面の形を決めるパネル内面は、穿孔が開けられており、また、こてで壁を仕上げる際の応答を改善するため、波形やくぼみを付けられるなどして構成されて、混合物をいろいろな深さにするようになっていてもよい。
【００２４】
建築規制で要求されるような通常の補強は、壁に含まれている。例えば、ワイヤ、溶接、またはクリップで互いに留められた、ロッドおよびバーである。「穿孔（perforations）」という用語は、長穴も含む。円形の穿孔が有用である。穿孔の中を流れる混合物の量は、例えば骨材の大きさや含水量などといった混合物の組成によるので、その点では穿孔の直径は重要でない。５ｍｍから１５ｍｍの直径で有用な結果が出ている。
【００２５】
平らなパネルを用いても許容できる結果が得られるので、パネルの波形は必須というわけではない。ただ、こてで仕上げる作業では、波形の底の部分があると骨材を押しやすくなり、より平滑な仕上げが得られる。
【発明を実施するための最良の形態】
【００２６】
第１の特に好適な実施の形態では、壁塗りされた内側および外側の表面を備える鉛直な壁の準備および建造に関して、本発明を説明する。まず、図１から図３には、本発明のコンポーネントおよび装置が斜視図で示されている。図１は、壁塗りを施す前の部分的に建造された壁を示し、図３は、両面構造をもつ同様の壁の分解組立図を示す。この壁建造物は、組み立てられた複数のスペーサブロック２を備え、同ブロックは、中空だが密閉された平行六面体形状という形である。スペーサブロックはもちろんどんな形や配置であってもよい。しかしながら、上記のようなさいころ形のブロックは、積み重ねて壁の支持要素を設けるのに好都合である。各スペーサブロックは、ブロック上部の縁を回る上フランジ４と、ブロック下部の縁を回る下フランジ６と、両端部の端部フランジ８とを有する。さらに、スペーサブロックの各角部には段が設けられ、その結果、組み立てられた４つのブロックの合わせ目が、貫通した通路４８を設けて、形成されたプレ壁の内側と外側との間を通ずる導管を提供するようになっている。
【００２７】
このようにして、一旦いくつかのスペーサブロックが組み立てられると、スペーサブロックは、プレ壁内の支持要素を形成する、個々が密封されたいくつかの空洞を提供する。プレ壁は支持面を含む基盤を提供し、支持面の上には複数の透過性パネル１４を組み立てることができる。透過性パネルは、扱いやすい大きさの個別ユニットとして製造され、隣接するパネル要素との相互接続のために特に適合させられて一様な一体パネルを形成し、プレ壁の支持面全体をぴったりと被う。各パネル要素は、外被３０を含み、パネル面を形成する。外被は、実質的に剛体かつ自己支持式の構造となるように支持され形成される。パネルユニットに剛性を与えるため、パネルの長さ全体にわたってパネル面の内側を上下に走る複数の平行なリブ１６が設けられる。
【００２８】
パネル面の外被３０には、支持リブ１６の方向を横切るように走る実質的に平行な一連の波形３２が形成されている。パネル外被には開口４０の列が設けられ、それによって、パネルを通ってパネル面３０の外面へ充填材料を透過させる手段が提供されて、連続的な壁塗りが可能となる。
【００２９】
一旦パネルが支持壁に取り付けられると、リブによって、パネル外被３０は、組み立てられたスペーサブロックの面１０から一定の距離に適当に置かれて、その間に充填可能な空洞が設けられる。
【００３０】
そうして形成された空洞に充填材が注入される際、充填材の方向付けと移動を助けるために、支持リブは、隣接するリブの間の充填可能な空洞を下る一連の導管を設けることによって打設空間を形成する、という追加機能を提供する。このようにして、リブは２つの機能を形成し、つまり、予備的な支持と剛性を提供し、また、充填材料に導管と方向付けの手段を提供する。
【００３１】
ここで図２、４、５を参照して、パネル外被３０の詳細を説明する。開口４０が、パネル外被３０の実質的な領域にわたって、一様な配列で形成されている。開口は円形の穴として形成され、直線的に並んで形成され、そして、パネル張りされた外被の波形の平らな頂上３４、平らな谷３６、傾いた縁３８に沿って走っている。
【００３２】
隣接する透過性パネルの相互接続と連結を助けるため、リブには、各パネル要素の第２の端において、隣接するリブをわたすように形成された架橋手段４６が設けられている。第１の端では、もう一方の隣接するリブに同様の橋が設けられ、そこで、架橋された上のリブ（パネルの上部すなわち第２の端に生じる）は突起キーを形成し、パネルの第２の端に形成される下の橋は受け用のドックを形成する。このようにして、隣接するパネルはそれぞれのキーとドックとの協働によって相互接続し、第１の方向あるいは鉛直方向に、剛性のある相互接続パネルユニットを形成する。さらに、一旦隣接するパネルがつながれると、交互に並ぶ位置に隣接する上および下の橋部材は、相互に連結して、連続した橋を提供する。
【００３３】
第２の方向あるいは水平方向に隣接するパネルを結びつける手段を提供するため、パネル外被３０の第１の縁には、いくつかの突起形のピン４２が設けられ、外被の第２の縁には、複数の小穴４４が設けられていて、その結果、隣接するパネルが相互に連結して、組み立てられたスペーサブロックの表面全面にわたって実質的に連続したパネルを形成することができるようになっている。
【００３４】
電気設備や配管設備などのユーティリティー供給へのアクセスを提供するため、スペーサブロックにはサービストンネル５０が設けられている。サービストンネルは一体化した横断導管を提供し、その結果、隣接するスペーサがそれぞれの導管をつないで、仕上げられた壁の内部を通る連続した導管を提供するようになっている。
【００３５】
パネル１４は、組み立てられたスペーサブロックの面１０に取り付けられた複数の補強ロッド２０および２２を介して、組み立てられたスペーサブロックに取り付けられ保持されている。補強ロッドは、鉛直方向に置かれた補強ロッド２０と、水平方向に置かれた補強ロッド２２とから構成される。補強ロッドの網は、相互接続している連結ワイヤ２６を介して、縛り合わされている。連結ワイヤは、接合しているスペーサブロック２の角部に形成された通路４８を通る。補強ロッドは、充填可能な空洞へ充填材を注入する前および注入している間、組み立てられたスペーサブロックに各パネルを一時的に取り付け保持するための手段を提供する。さらに、一旦充填材料が固まった後は、補強ロッドは、組み立てられた建造物に付加的な構造強度を提供する。
【００３６】
別の態様およびその特に好適な実施の形態では、本発明は、鉛直な壁を建造する方法を提供する。ここでは図１から９を参照する。本発明の方法は、先に説明したような装置の使用法を提供する。この使用法では、複数のスペーサ２が、前もって形成された基礎またはコンクリート板などの適当な基盤上に、１段におかれる。レンガを積むのと似た方法で、一連の段が準備される。ただし、本発明の特に好適なスペーサは、子供の積み木セットと違わない方法でスペーサを連結させることのできる連結フランジを有する。図７では、仕上げられた壁の側断面図に、標準的な基礎５２の上に段におかれたスペーサブロックが示されている。一旦スペーサが適当に横たえられると、スペーサは、透過性パネル１４を次に固定できるプレ壁を形成する。パネルを適当に支えるため、一連の、または網状の補強ロッド２０および２２が、次にプレ壁の内面および外面の適切な位置に取り付けられる。第１の例では、一連の水平な補強ロッド２２が、基礎に最も近い壁の下端または下端の近くに横たえられ取り付けられる。一旦下の水平なロッドがプレ壁の内側および外側の面に置かれたら、内側および外側の対応するロッドは、隣接するスペーサブロック２の間にできた通路４８を通る連結ワイヤ２６を介して、結びつけることができる。一旦最初の水平な補強バーが所定の位置に置かれたら、リブ１６の第１の端とそれに結合した橋４６とにおいて形成された突起キーを取り付けることによって、パネル１４の第１段を下の水平な補強バーに取り付けることができる。一旦第１のパネルが所定の位置に置かれたら、第１のパネルと同様に、隣接するパネルを所定の位置に置いてそれぞれのピン４２と小穴４４とを介して第１のパネルと相互接続することができ、それによって、第１段の隣接するパネルは、しっかりと連結されて１つの連続パネルを効果的に形成する。パネルの第１段が立てられたら、次に第２の水平な補強ロッド２２を、リブの第２の端に形成された受け用のドックに置くことができる。受け用のドックは、水平な補強ロッドを保持するよう適合させられた便利な架台１８の形成を兼務している。これらの対応する水平な補強ロッドも内側および外側のパネルに取り付けられたら、各パネルを所定の位置に保持する役割をする第２の連結ワイヤ２６を介して、両方の水平ロッドを互いに引くことができる。パネルが都合のよい高さに達したら、適当な時に、隣接するスペーサブロックに形成された通路４８に対応した隣接するリブの間に、鉛直な補強ロッド２０を置くことができる。補強ロッドは、隣接するリブの間で橋４６の後ろ側に形成された導管に沿って下るように置くことができ、その結果、連結ワイヤ２６が取り付けられ、対応する鉛直なワイヤが互いに引かれた時に、今度はワイヤが、対応するパネルを互いに引いてパネルをプレ壁の両側にしっかりともたせかけられるようになっている。一旦パネルがそのように組み立てられたら、任意選択の安定化鉛直ロッド６２を、パネル外被３０の傾いた縁３８に形成され鉛直方向に並んでいるそれぞれの開口の中に、通すことができる。このようにして、パネル外被には、充填材６０を受け入れる前に、付加的な剛性が与えられる。
【００３７】
この段階で、パネル１４とスペーサブロック２との間に形成された空洞は、充填材６０で直ちに充填することができる。今説明している鉛直な壁の実施の形態では、充填材は重力の作用の影響を受けることができ、適当な粘度のモルタル混合物が空洞内を流れ落ちる。充填材は初め空洞の底に落下し、そして盛り上がり始め、そうなりながら、開口４０の中を透過し始める。この段階で、しみ出る充填材は、パネル外被上で適当な量と盛り上がりに達したら、手作業で壁塗りすることができる。これは、充填材が波形の中に堆積して、壁塗り作業で平滑な表面を与えるのに適当な量まで盛り上がるからである。充填材混合物は適当な粘度および硬化速度にて準備され、その結果、壁塗りの下方部分が固まるにつれてさらなる充填材料が上に積み重なるようになっている。そしてその結果、効果的な、加工可能な壁塗りの波が壁の底部から上の方へしみ出て、壁塗りの加工を制御可能にし、仕上げられた壁を形成できるようになっている。一旦壁が壁塗りされて固まったら、完全に包まれ、内部に形成された空洞によって適当な断熱性を与えるスペーサブロックでできた、堅固で高度に補強された一体型の壁が形成されることになる。壁塗りされた面は、補強ロッドの網、連結ワイヤ、および通路を介して相互接続されて、非常に強くて機能的な壁を提供する。
【００３８】
図６には、壁の打設後の最終的な外観が示されている。図７には、壁が標準的な基礎５２の上に立てられている様子が示されている。スペーサ、型、および補強材はすべて、打設されたコンクリートに埋め込まれている。
【００３９】
図８では、パネルは、半分ずつ２つに分けて取り付けられた型拡張部５４を有し、それによって混合物が窓の上枠、縦枠、および下枠を形成できるようなっている。これらは支え５８により開口部５６に固定されている。図９の型は、窓の縁の側面の半分を受け持つ割型である。被いやスカーティングなどの内部の特徴のための型拡張部も、同様の方法で形成される。拡張部の輪郭をなぞるために、輪郭をかたどったこてが用いられる。頂材である姫垣、柱頭、および同様の飾りなどといった拡張部の特徴を得ることができる。
【００４０】
図１０で、厚板６０は、ＨＥＢＥＬ  ＰＯＷＥＲＰＡＮＥＬという商標で販売されている２７００×１２００×７５ｍｍの気泡コンクリート板である。パネル１４は、押し出し成形された後、細いロッド６２を通せるよう鉛直に並んだいくつかの穿孔を開けられている。
【００４１】
建造の順序は以下の通りである。
基礎が、根切り用のワイヤメッシュを用いて従来の方法で造られ、その結果、１２００ｍｍのバーの対が２２０×６００の間隔をあけて突き出す。
【００４２】
そして最初のスペーサ２の層（段）が、バーの間に高さ１２００ｍｍまで配置される。パネル１４が、リブがスペーサに触れるように、バーに通されて滑り下ろされる。パネルの縁同士が相互接続する。水平なバーがパネルの架台に横たえられ、鉛直なバー２０が延長される。バー同士はワイヤで結び合わされ、連結ワイヤ２６が通路４８の中に差し込まれる。
【００４３】
次の一続きのパネルが、１階の高さである２７００ｍｍに達するまで、延長されたバーに通される。サービス導管が挿入されて、壁が一部分となって構成している部屋の差し込み口の位置の反対側に挿入された空隙とつながる。配水および配電が仕上げられる。
【００４４】
建物が１階建てならば、この構造物で注入準備完了である。コンクリートポンプが現場に登場する。コンクリートポンプの充填管は、流れをスペーサ両側の打設空間へ方向付けるように作られる。建物は、同様の手法を活用した高層式であってもよい。
【００４５】
コンクリートが、構造物内で次第に高くなって通路へ流れ込み、それによって２枚の壁を結合する。コンクリートの重量が増すにつれて、下の方のパネルは、穿孔を通して混合物をゆっくりと押し出す。パネルからおよそ２０ｍｍのコンクリートがしみ出たところで、こてで仕上げる作業が始まる。一旦こてでパネルをなでると、コンクリートは斑点状の外観を失い、しみ出しもやむ。外側の含水量が変わり、平滑化の作業を始めることができる。壁の厚みを貫く通路４８によって壁の両側片間の内部の橋がそこにかかり、そして、ならされたコンクリートで型が完全に隠れることになる。砂の埋込など、きめを出したり最後の仕上げをしたりする工程は、この時点で行う。そしてポンプは、上部にコンクリートを追加して次の階を形成する。コンクリートが乾燥したら、アクリル樹脂塗料などで色付けする。
【００４６】
本発明は、壁塗りできる、成形可能なコンクリートによって、壁、床、およびさまざまな建築要素を建造するための装置および方法を初めて提供し、それによって、容易に使用可能な、壁や他の種類の建造物を製造する手段を提供する。経済的な形態の建造物を提供するため、本発明のパネル要素は、押して貼り付ける構造やリサイクルプラスチックによっても設けることができる。その際、成形物の型枠を外す必要はなく、あるいは従来技術の装置のリサイクルや手入れをしようと試みることもないので、このことは、完成した建造物の強度と一体性に最終的に寄与する。
【００４７】
本発明の利点は多い。例えば、以下の通りである。
１．型が構造物中に永久的に残る。
２．こて仕上げ用の材料が壁からたくさん流れ出るので、壁塗り材を塗る必要がない。
３．職業的な技能が低くても間に合う。
４．曲線のような、自由な形態が得られる。こて仕上げの代わりに、またはそれに加えて、しみ出たコンクリートに模様を付けることができる。
【００４８】
本明細書の全体を通じて、「備える（comprise）」という言葉、あるいは「備え（comprises）」「備えている（comprising）」などの語尾変化形は、述べられた要素、整数、もしくはステップ、または述べられた一群の要素、整数、もしくはステップを含むことを意味し、他のいかなる要素、整数、もしくはステップ、または一群の要素、整数、もしくはステップも除外することを意味しないものと理解されるであろう。
【００４９】
当技術分野の技術者は、広く記述された本発明の趣旨または範囲から逸脱することなく、具体的な実施の形態に示された本発明にさまざまな変形および／または変更がなされてよいことを認めるであろう。したがって、現在の実施の形態は、すべての点で説明のためのものであって限定のためのものではないと見なされなければならない。
【図面の簡単な説明】
【００５０】
【図１】建造途中の代表的な壁の一部分の斜視図である。
【図２】図１のＡで印した領域をＢ方向から見た拡大図である。
【図３】図１に示した壁の一部分と１対のパネルの分解組立図である。
【図４】ペグ式位置決め部を示す、パネルの縁の断片の詳細図である。
【図５】ペグを受ける小穴を示す、隣接するパネルの対応する縁の部分の詳細図である。
【図６】打設後の壁の一部を示す、図１と同様の斜視図である。
【図７】完成した壁の断面図である。
【図８】窓を含む壁と、その窓の縁取り用の型が打設のための位置に支持された状態とを示す斜視図である。
【図９】図８の型の断面図である。
【図１０】打設用パネルを用いた部分的に従来方式である構造を示す、壁の断片の斜視図である。
【符号の説明】
【００５１】
２  スペーサブロック
４  上フランジ
６  下フランジ
８  端部フランジ
１０  面
１２  スペーサ上面
１４  パネル
１６  リブ
１８  架台
２０  補強ロッド（鉛直）
２２  補強ロッド（水平）
２６  連結ワイヤ
２８  外パネル
３０  パネル面またはパネル外被
３２  波形
３４  平らな頂上
３６  平らな谷
３８  傾いた縁
４０  開口
４２  ピン
４４  小穴
４６  橋
４８  通路
５０  サービストンネル
５２  基礎
５４  型拡張部
５６  開口部
５８  支え
６０  充填材
６２  細いロッッド


【手続補正３】
【補正対象書類名】図面
【補正対象項目名】図３
【補正方法】変更
【補正の内容】
【図３】
2005508465.tif 000033
【手続補正４】
【補正対象書類名】図面
【補正対象項目名】図８
【補正方法】変更
【補正の内容】
【図８】
2005508465.tif 000034
【手続補正書】
【提出日】平成15年9月12日(2003.9.12)
【手続補正１】
【補正対象書類名】特許請求の範囲
【補正対象項目名】請求項１
【補正方法】変更
【補正の内容】
【請求項１】
壁建造物等を形成したり型で成形したり壁塗りしたりするための建築装置であって、１つまたは複数の透過性パネルを備え、前記パネルが、前記壁の支持要素から距離を開けて自立し前記パネルが支持要素に合うように設けられて、前記支持要素と前記パネルとの間を充填するための最上部の空洞を提供しており、前記パネルは、充填材に一様な透過性を提供する複数の開口によって特徴づけられており、壁塗りされ固められると、前記充填材および前記パネルが、前記壁に一体化された部分を形成するようになっていることを特徴とする建築装置。
【手続補正２】
【補正対象書類名】特許請求の範囲
【補正対象項目名】請求項２
【補正方法】変更
【補正の内容】
【請求項２】
前記パネルは、外被と、実質的に前記パネルの長さにわたる複数の平行な内側支持リブとを有することを特徴とする請求項１に記載の装置。
【手続補正３】
【補正対象書類名】特許請求の範囲
【補正対象項目名】請求項３
【補正方法】変更
【補正の内容】
【請求項３】
前記外被に、実質的に平行な一連の波形が、前記支持リブの方向を横切るように形成されていることを特徴とする請求項２に記載の装置。
【手続補正４】
【補正対象書類名】特許請求の範囲
【補正対象項目名】請求項４
【補正方法】変更
【補正の内容】
【請求項４】
前記内側支持リブは、前記充填用の空洞内での前記充填材の流れを導いたり制御したりするのを助ける打設空間または導管を形成することを特徴とする請求項３に記載の装置。
【手続補正５】
【補正対象書類名】特許請求の範囲
【補正対象項目名】請求項５
【補正方法】変更
【補正の内容】
【請求項５】
前記開口は、前記パネルの前記外被の実質的な領域にわたって、実質的に一様な配列で形成されていることを特徴とする請求項１ないし４のいずれかに記載の装置。
【手続補正６】
【補正対象書類名】特許請求の範囲
【補正対象項目名】請求項６
【補正方法】変更
【補正の内容】
【請求項６】
前記開口は、前記波形の頂上、谷、および傾いた縁に沿って直線的な列をなすように形成されていることを特徴とする請求項３ないし５のいずれかに記載の装置。
【手続補正７】
【補正対象書類名】特許請求の範囲
【補正対象項目名】請求項７
【補正方法】変更
【補正の内容】
【請求項７】
２つ以上の隣接するリブが架橋手段でつながれていることを特徴とする請求項２ないし６のいずれかに記載の装置。
【手続補正８】
【補正対象書類名】特許請求の範囲
【補正対象項目名】請求項８
【補正方法】変更
【補正の内容】
【請求項８】
前記架橋手段および架橋されたリブは、第１の端において突出したキーを形成し、第２の端において受け用のドックを形成し、隣接するパネルの前記キーとドックとが第１の方向の相互係合のために協働可能であることを特徴とする請求項７に記載の装置。
【手続補正９】
【補正対象書類名】特許請求の範囲
【補正対象項目名】請求項９
【補正方法】変更
【補正の内容】
【請求項９】
前記第２の端における前記橋が、交互の２つの隣接するリブの間に形成されており、隣接するパネルが相互に係合された時に、前記リブの前記第１および第２の端にわたって連続した橋が形成されるようになっていることを特徴とする請求項８に記載の装置。
【手続補正１０】
【補正対象書類名】特許請求の範囲
【補正対象項目名】請求項１０
【補正方法】変更
【補正の内容】
【請求項１０】
前記パネルの外被の第１の縁は、１つまたは複数のピンを有し、前記外被の第２の縁は、対応する１つまたは複数の小穴を有し、隣接するパネルの前記ピンと小穴とが第２の方向の相互係合のために協働可能であることを特徴とする請求項８に記載の装置。
【手続補正１１】
【補正対象書類名】特許請求の範囲
【補正対象項目名】請求項１１
【補正方法】変更
【補正の内容】
【請求項１１】
前記支持要素は、密閉可能な空洞を持つスペーサブロックを備えることを特徴とする請求項１ないし９のいずれかに記載の装置。
【国際調査報告】
2005508465.tif 000035
2005508465.tif 000036
2005508465.tif 000037
2005508465.tif 000038